(57)【要約】【課題】大容量の貯留槽を有する場合であっても、バラ物が形成するブリッジを容易に崩壊させるとともにブリッジの形成を防止可能であり、安価な貯留設備の提供。【解決手段】バラ物の貯留槽１０を備える貯留設備１をであって、貯留槽１０の床面１４に形成された開口部１６の列１８Ａ、１８Ｂと、列１８Ａ、１８Ｂに沿って設置されたベルト３６Ａ、３６Ｂ、３６Ｃと、ベルト３６Ａ、３６Ｂ、３６Ｃの巻き取りと繰り出しを行う巻取プーリ２４Ａ、２４Ｂ、２４Ｃと、床面１４においてベルト３６Ａ、３６Ｂ、３６Ｃが架け回されて床面１４から所定距離上方に設けられた支持プーリ３０Ａ、３０Ｂ、３０Ｃと、を備える貯留設備１を構成する。【選択図】  図１
2008114929.tif 000002
【特許請求の範囲】
【請求項１】
バラ物の貯留槽を備える貯留設備であって、
貯留槽の床面に形成された開口部の列と、開口部の列に沿って設置されたベルトと、ベルトの巻き取りと繰り出しを行う巻取プーリと、貯留槽の前後端部で床面より所定距離上方に設けられて前記ベルトが架け回されている支持プーリと、を備えることを特徴とする貯留設備。
【請求項２】
巻取プーリ及び支持プーリが、大径部と、大径部の端に形成された小径部と、を有することを特徴とする請求項１記載の貯留設備。
【請求項３】
巻取プーリ及び支持プーリの長さがベルトの幅よりも短いことを特徴とする請求項１又は請求項２に記載の貯留設備。
【発明の詳細な説明】
【技術分野】
【０００１】
本発明は、貯留槽内でバラ物が形成するブリッジを少なくする貯留設備に関する。
【背景技術】
【０００２】
従来、ストックヤードや船舶等において、バラ物を貯留設備の貯留槽に搬入して貯留し、必要に応じて貯留槽から払い出している。
貯留槽内で、バラ物がブリッジを形成すると、払い出しが妨げられ、貯留槽の容積効率が低下する原因となる。特に、バラ物の含水率が高い場合、大きなブリッジが形成されやすく、容積効率の低下が著しい。
【０００３】
この問題に対処するため、撹拌装置を備える貯留設備（第１の背景技術）が提唱されている（特許文献１参照）。この貯留設備の貯留槽内には、中段スクリューが撹拌装置として設置されている。中段スクリューが回転して、ブリッジが崩壊する。
また、側壁を変形可能に構成した貯留設備（第２の背景技術）が提唱されている（特許文献２参照）。この貯留設備では、貯留槽をなすホッパーの側壁に可撓性ライナーが内張りされており、駆動装置によって可撓性ライナーが周期的に動き、ホッパーの側壁が変形する。ホッパーの側壁が変形して、ブリッジが崩壊する。
【０００４】
大容量の貯留槽を有する貯留設備用に、伸縮可能なプラウを備えるロータリープラウ装置を移動可能に設置した貯留設備（第３の背景技術）が提唱されている（特許文献３参照）。この貯留設備の貯留槽内では、ロータリープラウ装置が移動し、伸縮したプラウが回転して、ブリッジが崩壊する。
なお、以下の説明において、「小容量の貯留槽を有する貯留設備」のことを「小容量貯留設備」といい、「大容量の貯留槽を有する貯留設備」のことを「大容量貯留設備」という。
【特許文献１】特開平１１−２０８８１０号公報
【特許文献２】特開２００３−５４６８４号公報
【特許文献３】特開平１０−１８１８８７号公報
【発明の開示】
【発明が解決しようとする課題】
【０００５】
第１及び第２の背景技術に係る各貯留設備は、小容量貯留設備に主に適用される。しかし、第１及び第２の背景技術に係る各貯留設備を大容量貯留設備に適用することは、以下の問題があり困難である。
第１の背景技術に係る貯留設備を大容量貯留設備に適用する場合、撹拌装置を大型化する必要がある。撹拌装置が大型化すると、撹拌装置をなす中段スクリューの軸が長大となり、設備コストが高価になる。
【０００６】
第２の背景技術に係る貯留設備を大容量貯留設備に適用する場合、側壁を変形させる駆動装置を大型化したり駆動装置の数を増やす必要がある。駆動装置を大型化等すると、必要なアクチュエータ等の数が増え、駆動装置の構成が複雑化し、作動不良や故障が発生しやすくなり、設備コストが高価になる。
また、第３の背景技術に係る貯留設備を適用した大容量貯留設備では、ロータリープラウ装置の移動範囲が広く、ロータリープラウ装置の移動路をカバーで覆う必要があり、カバーが大きなデッドスペースを形成する。このデッドスペースによって貯留設備の容積効率が低下するのみならず、カバー上にブリッジが形成される。
本発明は、上記問題を解決するものであり、その目的とするところは、貯留槽の容量の大小を問わずに、貯留槽内でバラ物のブリッジを崩壊させることができ、設備コストが安価になる貯留設備を提供することである。
【課題を解決するための手段】
【０００７】
本発明は、その課題を解決するために以下のような構成をとる。請求項１の発明に係る貯留設備は、バラ物の貯留槽を備える貯留設備であって、貯留槽の床面に形成された開口部の列と、開口部の列に沿って設置されたベルトと、ベルトの巻き取りと繰り出しを行う巻取プーリと、貯留槽の前後端部で床面より所定距離上方に設けられて前記ベルトが架け回されている支持プーリと、を備える。
【０００８】
ベルトを巻取プーリから繰り出すと貯留槽の床面にベルトが自重で接する。ベルトが床面に接した状態でバラ物を貯留槽に搬入して貯留する。バラ物を開口部から払い出すと、ベルト上にバラ物の堆積がブリッジとして残る。巻取プーリがベルトを巻き取ると、床面に接している部分のベルトが支持プーリを介して巻取プーリによって長手方向支持プーリ側に引っ張られる。支持プーリは床面から所定距離上方に設けられているので、まず、支持プーリ近傍で、床面に接しているベルトが部分的に引っ張られて床面から持ち上がる。ベルトが部分的に持ち上がると、持ち上がった部分のベルトが長手方向に傾斜し、長手方向に傾斜したベルト上のブリッジが崩壊する。さらに、巻取プーリがベルトを巻き取ると、床面に接していたベルトが支持プーリ側から次第に持ち上がり、ベルト上のブリッジが支持プーリ側から次第に崩壊する。
ベルト、巻取プーリ、支持プーリは安価であり、巻取プーリを回転させるモータも安価であるので、設備コストが安価となる。貯留槽の容量に応じて、ベルト、巻取プーリ、支持プーリ、モータの数を容易に増減できる。
【０００９】
請求項２の発明に係る貯留設備は、請求項１記載の貯留設備であって、巻取プーリ及び支持プーリが、大径部と、大径部の端に形成された小径部と、を有する。
巻取プーリがベルトを巻き取る際、巻取プーリの大径部からベルトの長手方向に働く引張力は、巻取プーリの小径部からベルトの長手方向に働く引張力よりも大きい。
また、巻取プーリがベルトを巻き取ると、巻取プーリが支持プーリを介して貯留槽の床面に接している部分のベルトを長手方向支持プーリ側に引っ張ることとなる。支持プーリの大径部を介して床面上のベルトの長手方向に働く引張力は、支持プーリの小径部を介して床面上のベルトの長手方向に働く引張力よりも大きい。
【００１０】
したがって、巻取プーリがベルトを巻き取ると、床面上のベルトの幅方向の一部分が、大きな引張力で引っ張られて高く持ち上がり、ベルトが幅方向に傾斜し、ベルト上のブリッジが崩壊する。
ベルトが幅方向に傾斜するので、バラ物が傾斜方向下側に落下して開口部に入り、ベルトと床面との間にバラ物が入り込みにくい。
なお、巻取プーリ及び支持プーリを円筒プーリとし、円筒プーリの端部にテーパを形成し、テーパ部分を小径部とすることができる。また、巻取プーリ及び支持プーリを大径のプーリと小径のプーリとから形成してもよい。
【００１１】
請求項３の発明に係る貯留設備は、請求項１又は請求項２に記載の貯留設備であって、巻取プーリ及び支持プーリの長さがベルトの幅よりも短い。
巻取プーリの長さがベルトの幅よりも短いので、巻取プーリが巻き取る部分のベルトの幅方向には、巻取プーリが接触する接触部分と巻取プーリが接触しない非接触部分とが存在する。巻取プーリがベルトを巻き取る際、ベルトの幅方向において、巻取プーリから接触部分のベルトの長手方向に働く引張力が、巻取プーリから非接触部分のベルトの長手方向に働く引張力よりも大きい。
【００１２】
また、支持プーリの長さがベルトの幅よりも短いので、支持プーリに架け回されている部分のベルトの幅方向には、支持プーリが接触する接触部分と支持プーリが接触しない非接触部分とが存在する。巻取プーリがベルトを巻き取り、支持プーリを介して貯留槽の床面に接している部分のベルトを長手方向支持プーリ側に引っ張る際、支持プーリとの接触部分からベルトの長手方向に働く引張力は、支持プーリとの非接触部分からベルトの長手方向に働く引張力よりも大きい。
【００１３】
巻取プーリがベルトを巻き取ると、床面上のベルトの幅方向の一部分が、大きな引張力で引っ張られて高く持ち上がり、ベルトが幅方向に傾斜し、ベルト上のブリッジが崩壊する。
ベルトが幅方向に傾斜するので、バラ物が傾斜方向下側に落下して開口部に入り、ベルトと床面との間にバラ物が入り込みにくい。
【発明の効果】
【００１４】
本発明に係る貯留設備は上記のような構成を有するので、貯留槽の容量の大小を問わずに、貯留槽内でバラ物のブリッジを崩壊させることができ、設備コストが安価になる。
【発明を実施するための最良の形態】
【００１５】
本発明を実施するための最良の形態を図１〜図１１を参照しつつ説明する。
図１〜図３に示す貯留設備１は、貯留槽１０と払い出しピット２０Ａ、２０Ｂを有する。
貯留槽１０は長手方向左右の側壁１２Ａ、１２Ｂ、長手方向前後の側壁１２Ｃ、１２Ｄ及び床面１４を有し、上部がバラ物Ｍを搬入可能に開放している。床面１４には開口部１６の列１８Ａ、１８Ｂがそれぞれ長手方向に形成されている。床面１４上には、図６に示すベルト３６Ａ、３６Ｂ、３６Ｃが長手方向に敷設されており、側壁１２Ａ側からベルト３６Ａ、開口部１６の列１８Ａ、ベルト３６Ｂ、開口部１６の列１８Ｂ、ベルト３６Ｃが順番に並んでいる。
【００１６】
払い出しピット２０Ａが開口部１６の列１８Ａの直下に形成されており、払い出しピット２０Ｂが開口部１６の列１８Ｂの直下に形成されている。払い出しピット２０Ａ、２０Ｂにはそれぞれベルトコンベヤ２２が設置されている。
側壁１２Ｃの上部に、巻取プーリ２４Ａ、２４Ｂ、２４Ｃが設けられている。巻取プーリ２４Ａが側壁１２Ａ側に位置し、巻取プーリ２４Ｂが側壁１２Ｂ側に位置し、巻取プーリ２４Ｃが中央に位置している。同様に、側壁１２Ｄの上部にも、巻取プーリ２４Ａ、２４Ｂ、２４Ｃが設けられている。各巻取プーリ２４Ａ、２４Ｂ、２４Ｃは駆動装置（図示せず）に接続されて回転可能に構成されており、図６に示すベルト３６Ａ、３６Ｂ、３６Ｃの各長手方向端部分４２がそれぞれ巻取プーリ２４Ａ、２４Ｂ、２４Ｃに接続されている。
【００１７】
図４に示すように、巻取プーリ２４Ａは円筒プーリであり、円筒部分と円筒部分の一方の端部分に形成されたテーパとを有し、円筒部分が大径部２６をなし、テーパ部分が小径部２８をなす。巻取プーリ２４Ｂは巻取プーリ２４Ａと同じ形状を有し、大径部２６と小径部２８を有する。巻取プーリ２４Ｃは両端部分にテーパを有する円筒プーリであり、中央の円筒部分が大径部２６をなし、テーパ部分が小径部２８をなす。巻取プーリ２４Ａ、２４Ｂの各小径部２８が、それぞれ巻取プーリ２４Ｃ側に位置している。巻取プーリ２４Ａ、２４Ｂ、２４Ｃの各長さは、ベルト３６Ａ、３６Ｂ、３６Ｃの各長手方向端部分４２の幅に対応した長さである。
床面１４の側壁１２Ｃ側端部に、支持プーリ３０Ａ、３０Ｂ、３０Ｃが設けられている。支持プーリ３０Ａが側壁１２Ａ側に位置し、支持プーリ３０Ｂが側壁１２Ｂ側に位置し、支持プーリ３０Ｃが中央に位置している。同様に、床面１４の側壁１２Ｄ側端部に、支持プーリ３０Ａ、３０Ｂ、３０Ｃが設けられている。
【００１８】
図５に示すように、支持プーリ３０Ａは円筒プーリであり、円筒部分と円筒部分の一方の端部分に形成されたテーパとを有し、円筒部分が大径部３２をなし、テーパ部分が小径部３４をなす。巻取プーリ２４Ｂは巻取プーリ２４Ａと同じ形状を有し、大径部３２と小径部３４を有する。巻取プーリ２４Ｃは両端部分にテーパを有する円筒プーリであり、中央の円筒部分が大径部３２をなし、テーパ部分が小径部３４をなす。支持プーリ３０Ａ、３０Ｂの各テーパ部３４は、それぞれ支持プーリ３０Ｃ側に位置している。支持プーリ３０Ａ、３０Ｂ、３０Ｃの各長さは、ベルト３６Ａ、３６Ｂ、３６Ｃの各長手方向中央部分４４の幅に対応した長さである。各支持プーリ３０Ａ、３０Ｂ、３０Ｃの大径部３２は床面１４から距離Ｈだけ上方に位置している（図２及び図３を参照）。
【００１９】
図１、図２、図３及び図６に示すように、ベルト３６Ａの長手方向端部分４２が巻取プーリ２４Ａに接続されており、長手方向中央部分４４が支持プーリ３０Ａ同士の間に架け渡されている。ベルト３６Ａはベルト本体３８と張出部４０とを有する。ベルト本体３８がベルト３６Ａの長手方向全体に亘って連続している。ベルト３６Ａの長手方向中央部分４４において、張出部４０がベルト本体３８の片側（開口部１６の列１８Ａ側）から幅方向に張り出している。
【００２０】
ベルト３６Ａの長手方向中央部分４４の幅方向において、張出部４０側の縁が開口部１６の列１８Ａに隣接しており、反対側の縁が側壁１２Ａに隣接している。
ベルト３６Ｂはベルト３６Ａと左右対称の形状を有し（図３及び図６を参照）、ベルト３６Ａと同様、長手方向端部分４２が巻取プーリ２４Ｂに接続され、長手方向中央部分４４が支持プーリ３０Ｂ同士の間に架け渡されている。ベルト３６Ｂの長手方向中央部分４４の幅方向において、張出部４０側の縁が開口部１６の列１８Ｂに隣接しており、反対側の縁が側壁１２Ｂに隣接している。
【００２１】
ベルト３６Ｃは、長手方向端部分４２が巻取プーリ２４Ｃに接続され、長手方向中央部分４４が支持プーリ３０Ｃ同士の間に架け渡されている。ベルト３６Ｃはベルト本体３８と張出部４０とを有する。ベルト本体３８がベルト３６Ｃの長手方向全体に亘って連続している。ベルト３６Ｃの長手方向中央部分４４において、張出部４０がベルト本体３８から幅方向両側にそれぞれ張り出している。ベルト３６Ｃの長手方向中央部分４４の幅方向において、一方の張出部４０の縁が開口部１６の列１８Ａに隣接しており、他方の張出部４０の縁が開口部１６の列１８Ｂに隣接している。
【００２２】
次に、作用について説明する。
まず、貯留槽１０が空となった状態で、巻取プーリ２４Ａ、２４Ｂ、２４Ｃからそれぞれベルト３６Ａ、３６Ｂ、３６Ｃの各ベルト本体３８を繰り出すと、ベルト３６Ａ、３６Ｂ、３６Ｃの各長手方向中央部分４４が弛み、自重で床面１４に接する（図２及び図３を参照）。
ベルト３６Ａ、３６Ｂ、３６Ｃの各長手方向中央部分４４が床面１４に接した状態で、バラ物Ｍを貯留槽１０に搬入して貯留する。必要に応じてバラ物Ｍを貯留槽１０から払い出す。バラ物Ｍは列１８Ａ、１８Ｂの各開口部１６に落下し、各開口部１６から払い出しピット２０Ａ、２０Ｂのベルトコンベヤ２２に払い出される。
【００２３】
バラ物Ｍを貯留槽１０から払い出すと、バラ物Ｍの一部がベルト３６Ａ、３６Ｂ、３６Ｃ上に残されてブリッジＢＡ、ＢＢ、ＢＣとなり（図７〜図９を参照）、バラ物Ｍの払い出し量が減少する。
バラ物Ｍの払い出し量が減少してきたら、巻取プーリ２４Ａ、２４Ｂ、２４Ｃによってベルト３６Ａ、３６Ｂ、３６Ｃを少しずつ巻き取る。
【００２４】
巻取プーリ２４Ａがベルト３６Ａの長手方向端部分４２のベルト本体３８を巻き取ると、引張力が巻取プーリ２４Ａから長手方向端部分４２のベルト本体３８の長手方向に働き、さらに、支持プーリ３０Ａを介して、床面１４上のベルト３６Ａの長手方向中央部分４４の長手方向に働く。支持プーリ３０Ａ近傍で床面１４に接していたベルト３６Ａの長手方向中央部分４４が床面１４から持ち上がり、長手方向に傾斜する（図１０及び図１１を参照）。
【００２５】
巻取プーリ２４Ａからベルト３６Ａの長手方向端部分４２のベルト本体３８の長手方向に働く引張力は、巻取プーリ２４Ａの大径部２６から働く引張力と、巻取プーリ２４Ａの小径部２８から働く引張力とからなる。巻取プーリ２４Ａの大径部２６から働く引張力は、巻取プーリ２４Ａの小径部２８から働く引張力よりも大きい。
巻取プーリ２４Ａから支持プーリ３０Ａを介してベルト３６Ａの長手方向中央部分４４のベルト本体３８の長手方向に働く引張力は、支持プーリ３０Ａの大径部３２を介して働く引張力と、支持プーリ３０Ａの小径部３４を介して働く引張力とからなる。支持プーリ３０Ａの大径部３２を介して働く引張力は、支持プーリ３０Ａの小径部３４を介して働く引張力よりも大きい。
【００２６】
巻取プーリ２４Ａから長手方向中央部分４４のベルト本体３８の長手方向に働く引張力は、巻取プーリ２４Ａから長手方向中央部分４４の張出部４０の長手方向に働く引張力よりも大きい。したがって、床面１４上のベルト３６Ａの長手方向中央部分４４において、ベルト本体３８が張出部４０より大きな引張力で引っ張られる。
巻取プーリ２４Ａがベルト３６Ａを巻き取ると、支持プーリ３０Ａ近傍で、ベルト本体３８が支持プーリ３０Ａ側に大きな引張力で引っ張られて高く持ち上がり、張出部４０が少ししか持ち上がらず、幅方向において、ベルト３６Ａが開口部１６の列１８Ａ側に傾斜する。床面１４から持ち上がった部分のベルト３６Ａは、長手方向及び幅方向に傾斜し、ブリッジＢＡが崩壊し、崩壊したバラ物Ｍが列１８Ａの開口部１６に落下し、開口部１６から払い出しピット２０Ａのベルトコンベヤ２２上に払い出される。
【００２７】
さらに、巻取プーリ２４Ａによってベルト３６Ａを巻き取ると、床面１４上のベルト３６Ａが支持プーリ３０Ａ側から次第に持ち上がり、ブリッジＢＡが支持プーリ３０Ａ側から次第に崩壊していく。
床面１４から持ち上がった部分のベルト３６Ａでは、ベルト本体３８が張出部４０よりも高く持ち上がるので、崩壊したバラ物Ｍがベルト本体３８側から張出部４０側に落下し、ベルト３６Ａと床面１４との間にバラ物Ｍが入り込みにくい。
【００２８】
巻取プーリ２４Ａがベルト３６Ａを巻き取る場合と同様に、巻取プーリ２４Ｂがベルト３６Ｂを巻き取ると、ブリッジＢＢが支持プーリ３０Ｂ側から次第に崩壊する。
巻取プーリ２４Ａがベルト３６Ａを巻き取る場合と同様に、巻取プーリ２４Ｃがベルト３６Ｃを巻き取ると、支持プーリ３０Ｃ近傍でベルト３６Ｃの長手方向中央部分４４が床面１４上から持ち上がり、長手方向に傾斜する。
【００２９】
ベルト３６Ａと同様に、巻取プーリ２４Ｃからベルト３６Ｃの長手方向端部分４２のベルト本体３８の長手方向に働く引張力は、巻取プーリ２４Ｃの大径部２６から働く引張力と、巻取プーリ２４Ｃの小径部２８から働く引張力とからなる。巻取プーリ２４Ｃの大径部２６から働く引張力は、巻取プーリ２４Ｃの小径部２８から働く引張力よりも大きい。
【００３０】
ベルト３６Ａと同様に、巻取プーリ２４Ｃから支持プーリ３０Ｃを介してベルト３６Ｃの長手方向中央部分４４のベルト本体３８の長手方向に働く引張力は、支持プーリ３０Ｃの大径部３２を介して働く引張力と、支持プーリ３０Ｃの小径部３４を介して働く引張力とからなる。支持プーリ３０Ｃの大径部３２を介して働く引張力は、支持プーリ３０Ｃの小径部３４を介して働く引張力よりも大きい。
【００３１】
ベルト３６Ａと同様に、巻取プーリ２４Ｃから長手方向中央部分４４のベルト本体３８の長手方向に働く引張力は、巻取プーリ２４Ｃから長手方向中央部分４４の張出部４０の長手方向に働く引張力よりも大きい。したがって、床面１４上のベルト３６Ｃの長手方向中央部分４４において、ベルト本体３８が両側の張出部４０より大きな引張力で引っ張られる。
【００３２】
巻取プーリ２４Ｃがベルト３６Ｃを巻き取ると、支持プーリ３０Ｃ近傍で、ベルト本体３８が支持プーリ３０Ｃ側に大きな引張力で引っ張られて高く持ち上がり、両側の張出部４０が少ししか持ち上がらず、幅方向において、ベルト３６Ａが山形に傾斜する。床面１４から持ち上がった部分のベルト３６Ｃは、長手方向及び幅方向に傾斜し、ブリッジＢＣが崩壊し、ブリッジＢＣのバラ物Ｍが列１８Ａ、１８Ｂの各開口部１６に落下し、開口部１６から払い出しピット２０Ａ、２０Ｂのベルトコンベヤ２２上に払い出される。
【００３３】
さらに、巻取プーリ２４Ｃによってベルト３６Ｃを巻き取ると、床面１４上のベルト３６Ｃが支持プーリ３０Ｃ側から次第に持ち上がり、ブリッジＢＣが支持プーリ３０Ｃ側から次第に崩壊していく。
床面１４から持ち上がった部分のベルト３６Ｃでは、幅方向において山形に傾斜するので、崩壊したバラ物Ｍがベルト本体３８側から張出部４０側に落下し、ベルト３６Ｃと床面１４との間にバラ物Ｍが入り込みにくい。
なお、本実施の形態では、ベルト３６Ａ、３６Ｂ、３６Ｃの各長手方向中央部分４４において、張出部４０がベルト本体３８から張り出しているが、ベルト３６Ａ、３６Ｂ、３６Ｃの全長に亘って張出部４０がベルト本体３８から張り出す構成とすることも可能である。
【００３４】
本実施の形態において、巻取プーリ２４Ａ、２４Ｂ、２４Ｃは端部分に小径部２８を有するが、巻取プーリ２４Ａ、２４Ｂ、２４Ｃの端部分に小径部２８を形成せず大径部２６のみとし、巻取プーリ２４Ａ、２４Ｂ、２４Ｃの長さをベルト３６Ａ、３６Ｂ、３６Ｃの各長手方向端部分４２の幅よりも短く構成することも可能である（図１３を参照）。同様に、支持プーリ３０Ａ、３０Ｂ、３０Ｃの端部分に小径部３４を形成せず大径部３２のみとし、支持プーリ３０Ａ、３０Ｂ、３０Ｃの長さをベルト３６Ａ、３６Ｂ、３６Ｃの各長手方向中央部分４４の幅よりも短く構成することも可能である（図１４を参照）。
【図面の簡単な説明】
【００３５】
【図１】本発明に係る貯留設備の上面図である。
【図２】図１のＩ−Ｉ線断面図である。
【図３】図１のＩＩ−ＩＩ線断面図である。
【図４】巻取プーリの構成図である。
【図５】支持プーリの構成図である。
【図６】ベルトの構成図である。
【図７】バラ物が各ベルト上でブリッジを形成した状態における貯留設備の上面図である。
【図８】図７のＩＩＩ−ＩＩＩ線断面図である。
【図９】図７のＩＶ−ＩＶ線断面図である。
【図１０】各ベルト上でブリッジが一部崩壊した状態における貯留設備の上面図である。
【図１１】図１０のＶ−Ｖ線断面図である。
【図１２】変形例に係る巻取プーリの構成図である。
【図１３】変形例に係る支持プーリの構成図である。
【符号の説明】
【００３６】
１    貯留設備
１０    貯留槽
１２Ａ、１２Ｂ、１２Ｃ、１２Ｄ    側壁
１４    床面
１６    開口部
１８Ａ、１８Ｂ    開口部の列
２０Ａ、２０Ｂ    払い出しピット
２２    ベルトコンベヤ
２４Ａ、２４Ｂ、２４Ｃ    巻取プーリ
２６    巻取プーリの大径部
２８    巻取プーリの小径部
３０Ａ、３０Ｂ、３０Ｃ    支持プーリ
３２    支持プーリの大径部
３４    支持プーリの小径部
３６Ａ、３６Ｂ、３６Ｃ    ベルト
３８    ベルト本体
４０    ベルトの張出部
４２    ベルトの長手方向端部分
４４    ベルトの長手方向中央部分
Ｍ    バラ物
ＢＡ、ＢＢ、ＢＣ    ブリッジ
【図１】
2008114929.tif 000003
【図２】
2008114929.tif 000004
【図３】
2008114929.tif 000005
【図４】
2008114929.tif 000006
【図５】
2008114929.tif 000007
【図６】
2008114929.tif 000008
【図７】
2008114929.tif 000009
【図８】
2008114929.tif 000010
【図９】
2008114929.tif 000011
【図１０】
2008114929.tif 000012
【図１１】
2008114929.tif 000013
【図１２】
2008114929.tif 000014
【図１３】
2008114929.tif 000015